(57)【要約】【課題】使用者の個々のサイズに適合可能であると共に、内部への雪や水の侵入を防止することが可能なスポーツシューズを提供する。【解決手段】足の前側領域（３）から踵領域（４）にかけてシェル（５）が突設された硬質のソール（２）を備え、シェル（５）に回動可能にクオータ部材（１０）が連結されたスポーツシューズ（１）であって、スポーツシューズ（１）は、シェル（５）内でスライド可能にシェル（５）の底部に組み付けられ、前側端部（１５）を有するインソール（１２）と、インソール（１２）と相互に作用してシェル（５）に対するインソール（１２）の長手軸方向の位置を調整してガイドする調整ガイド手段（１６）とを備える。【選択図】図２
2009006119.tif 000002
【特許請求の範囲】
【請求項１】
足の前側部分から踵領域にかけてシェルが突設された硬質のソールを備え、上記シェルに回動可能にクオータ部材が連結されたスポーツシューズにおいて、
上記シェル内でスライド可能に上記シェルの底部に組み付けられ、前側端部を有するインソールと、
上記インソールと相互に作用して上記シェルに対する上記インソールの長手軸方向の位置を調整してガイドする調整ガイド手段と
を備えることを特徴とするスポーツシューズ。
【請求項２】
上記インソールは硬質又は半硬質のプラスチック材料からなり、上記シェル内でスライド可能に上記シェルの底部に組み付けられていることを特徴とする請求項１に記載のスポーツシューズ。
【請求項３】
上記前側端部は、ほぼ爪先領域において上記インソールから突設され、使用者の爪先を任意に挿入されるソフトインナーブーツと共に包み込むように形成されていることを特徴とする請求項２に記載のスポーツシューズ。
【請求項４】
上記インソールは、上記シェルに対する上記インソールの長手軸方向の位置を調整してガイドする調整ガイド手段と相互に作用することを特徴とする請求項３に記載のスポーツシューズ。
【請求項５】
上記調整ガイド手段は、上記シェルの底部を起点として上記ソールの踵領域に形成された第１取付座部を備え、
上記第１取付座部は、平面視において、上記ソールの長手軸方向に縦長のほぼ長方形状をなすと共に、上記第１取付座部の互いに対向する２つの側面に同一軸線上となるように設けられた第１孔及び第２孔を有し、
上記第１孔は上記第２孔よりも大きい径を有し、
上記第１取付座部は、上記シェルの底部を起点として形成されて横方向断面形状がほぼ逆Ｔ字状をなすと共にほぼ長方形の平面形状を有した後部キャビティとつながっていることを特徴とする請求項４に記載のスポーツシューズ。
【請求項６】
上記調整ガイド手段は、
上記シェルの底部に向け、上記踵領域に近接する上記インソールの下面からほぼ直角に突設されて、上記第１取付座部にスライド可能に設けられた第１タブと、
上記第１タブに楕円状の第２取付座部を形成するように設けられた横向きの空洞と、
上記空洞の上部面又は下部面に横方向に形成された１組の歯と、
上記インソールの下面から上記第１タブの後方に突設されると共に、上記後部キャビティの形状に対してほぼ補完的な形状を有し、上記シェルに対する上記インソールの長手軸方向のスライドをガイドすると共に規制するように上記後部キャビティと係合可能な第２タブと、
上記第２取付座部内に配設され、上記第１及び第２孔に回動可能に組み付けられた第１ねじ部材とを備え、
上記第１ねじ部材は、上記空洞に形成された上記１組の歯に対して補完的な歯を軸線方向に有して上記１組の歯と係合可能な第１ステムを備えることを特徴とする請求項５に記載のスポーツシューズ。
【請求項７】
上記第１ねじ部材は、上記第１孔に近接する方の端部に、上記第１孔より大きい径を有した環状隆起を有し、
上記第１ねじ部材の自由端は、上記第２孔から突出しており、上記第２孔より大きい径を有したディスクを支持するピンが軸線方向に嵌合することにより、上記第２孔に回動可能に組み付けられ、
上記ディスクの上記ピンとは逆の側には支持体が突設されると共に、使用者が上記第１ねじ部材に対して所望の回動を与えるためのレバーが、第１ピボットを介して上記支持体に軸支され、
上記レバーは、上記ソールの側面に対して揺動可能であると共に、上記ソールの側面からほぼ直角に突設された第２ピボットを、上記レバーに形成された第３孔に挿入することにより、所定の位置において上記ソールの側面に係止可能であることを特徴とする請求項６に記載のスポーツシューズ。
【請求項８】
上記調整ガイド手段は、
上記踵領域において上記シェルの底部を起点として上記ソールに形成され、上記ソールの長手軸方向に縦長のほぼ長方形の平面形状を有した第１取付座部と、
上記第１取付座部の底部から上記踵領域に近接してほぼ直角に突設され、ほぼ直方体状に形成された第３タブと、
ほぼＵ字状をなして上記第３タブの上端部に設けられた第３取付座部と、
上記踵領域の後面に設けられ、上記ソールの長手中心軸にほぼ沿うと共に上記第３取付座部と同一軸線上に配置されて、径方向断面がほぼＴ字状をなす第４孔と、
上記インソールの後端部に近接して上記インソールの下面からほぼ直角に突設され、上記第１取付座部にスライド可能に配設される第４タブと
を備えることを特徴とする請求項４に記載のスポーツシューズ。
【請求項９】
上記第４タブは、ほぼ直方体状に形成されると共に中空であって、平面形状が長方形をなして上記インソールの上面に形成された開口と連通しており、
上記ソールの長手中心軸にほぼ直角に配置された上記第４タブの対向する側壁には、上記第４孔と同一軸線上に２つの第５孔が形成され、
補完的に形成されて上記第４タブ内に収容されたナットが、上記第５孔と同一軸線上に配置されていることを特徴とする請求項８に記載のスポーツシューズ。
【請求項１０】
上記調整ガイド手段は、上記第４孔内に配置された頭部と、上記第４孔から突出する第２ステムとを有する第２ねじ部材を備え、
上記第２ステムは、
上記頭部に近接して設けられた第１平滑部と、
上記第１平滑部に連続し、上記ナットの第６孔のねじに対して補完的にねじが形成された第２部分と、
上記第１平滑部と上記第２部分との間に設けられ、上記第３取付座部内に回動可能に配設された凹部と
を備えることを特徴とする請求項９に記載のスポーツシューズ。
【請求項１１】
上記シェルの内側側面には、上記足の前側領域を起点としてほぼＵ字状の平面形状を有したスロットが、上記シェルの底部を起点として上記シェルの前端部及び側壁部において部分的に上記シェルの形状に沿うように形成されていることを特徴とする請求項１乃至１０のいずれかに記載のスポーツシューズ。
【請求項１２】
上記踵領域の方向に向く上記スロットの端部は、２つの傾斜面を介して上記シェルの上記内側側面に接続されていることを特徴とする請求項１１に記載のスポーツシューズ。
【請求項１３】
上記前側端部の大きさは、上記シェルに対して上記インソールが最も引き込まれた状態にあって、上記インソールが最小の大きさである場合に、上記前側端部が上記スロットから外れた位置にあって、上記シェルの上記内側側面によって中心方向に圧迫されることにより、使用者の足及び任意に用いられる上記インナーブーツを収容可能な上記スポーツシューズ内の空間を減少させるように設定されていることを特徴とする請求項１２に記載のスポーツシューズ。
【請求項１４】
上記インソールが最も引き込まれた上記の状態にある場合に、上記前側端部は上記シェルの底部に対して直交する方向にはゆがみが生じないことを特徴とする請求項１３に記載のスポーツシューズ。
【請求項１５】
上記シェルに対して上記インソールが最も引き出された状態にあって、上記インソールの大きさが最大である場合、上記前側端部は上記スロット内にあってゆがみが生じない状態であることにより、使用者の足及び任意に用いられる上記インナーブーツのための空間を拡大することを特徴とする請求項１４に記載のスポーツシューズ。
【発明の詳細な説明】
【技術分野】
【０００１】
本発明はスポーツシューズに関し、特にスキーブーツ、インラインスケート靴或いはアイススケート靴に関する。
【背景技術】
【０００２】
近年、分離された前側部分と後側部分とからなるシェルを有し、使用者がシェルの長さを変更可能とするため、これら前側部分及び後側部分が相互にスライド可能に組み付けられたスキーブーツ、アイススケート靴及びインラインスケート靴が使用されている。このような手法は、使用者の個々の形態的特徴への適合を可能にし、様々な足のサイズの使用者や足のサイズがすぐに変わってしまう子供であっても、サイズを変更して公知のタイプのシューズを履くことができるようにするものである。
【０００３】
例えば、標準的な硬質のソールから足の前側領域においてほぼ土踏まず領域まで突設され、踵領域に向けて開口するシェルと、後側領域においてシェルに対してスライド可能に連結され、ソールに対する長手軸方向の位置を調整しガイドする手段と相互に作用するカウンタ（counter）部材と、カウンタ部材に対して回動可能に設けられ、高さを調整可能なクオータ（quarter）部材とを備えたスキーブーツが特許文献１乃至３に開示されている。
【０００４】
また、特許文献４には、サイズが変更可能なスポーツシューズ、特にインラインスケート靴或いはアイススケート靴が開示されている。このスポーツシューズは、分離された前側端部（tip）と踵側部材とからなり、１つ以上のホイールもしくは１つのアイススケート用ブレードのための第１及び第２支持部材が、前側端部及び踵側部材の下方領域においてそれぞれ連結可能に或いは強固に組み付けられており、これら支持部材には相互に前後方向にスライド可能な手段が設けられている。そして、前側端部と踵側部材とを連結して長手軸方向の両者の相対的な位置を調整するための手段が前側端部と踵側部材との間に設けられ、格納式レバーにより作動させることができるようになっている。
【特許文献１】特開２００６−２９７０８１号公報
【特許文献２】欧州特許出願公開第１７１４５７０号明細書
【特許文献３】米国特許出願公開第２００６／０２３０６３８号明細書
【特許文献４】イタリア国実用新案第００２５１４７２号明細書
【発明の開示】
【発明が解決しようとする課題】
【０００５】
しかしながら、特許文献１乃至３に示されるような公知のスキーブーツは、使用者の足や脚の特定のサイズに適合できるようにシェルの長さやクオータ部材の高さを変更することが可能であるものの、シェルとカウンタ部材との間には、雪や水がブーツ内に浸入しうる遊びがあり、結果的に使用者に不快感を与えるという欠点を有している。
また、シェルは２つの部材からなるため、このような公知のスキーブーツでは強度及び安定性が制限されたものとなる。
【０００６】
特許文献４に示されるような公知のスケート靴も、上述した特許文献１乃至３に示されるものと同様の欠点を有している。
本発明はこのような課題に鑑みてなされたものであり、
本発明の狙いは、使用者の個々のサイズに適合可能であると共に、内部への雪や水の侵入を防止することが可能なスポーツシューズ、特にスキーブーツ、アイススケート靴或いはインラインスケート靴を提供することにより、上述した課題を解決し、背景技術における欠点を解消することにある。
【０００７】
このような狙いの中で、本発明の目的は、強靭で安定していることによって使用者の足の適切な保護及び適正な支持を確実に行うようにしたスポーツシューズを提供することにある。
本発明のもう１つの目的は、構造が簡単で製造コストの低いスポーツシューズを提供することにある。
【課題を解決するための手段】
【０００８】
これらの狙い及び目的、並びに後に明らかとなる他の目的を達成するため、本発明のスポーツシューズは、足の前側領域から踵領域にかけてシェルが突設された硬質のソールを備え、上記シェルに回動可能にクオータ部材が連結されたスポーツシューズにおいて、上記シェル内でスライド可能に上記シェルの底部に組み付けられ、前側端部を有するインソールと、上記インソールと相互に作用して上記シェルに対する上記インソールの長手軸方向の位置を調整してガイドする調整ガイド手段とを備えることを特徴とする。
【発明の効果】
【０００９】
本発明のスポーツシューズによれば、様々なサイズが得られるように、使用者の足に適用される内部空間を極めて容易かつ迅速に変更することが可能となるスポーツシューズ、特にスキーブーツ、アイススケート靴或いはインラインスケート靴が得られる。
また、使用の際、足は一体的に設けられたシェルで包囲されるので、雪や水が足と接触するおそれは実質的になくなる。
【００１０】
また、本発明によるスポーツシューズは、容易に製造及び／又は組立可能な部品を用いることによって得られるので、低い製造コストを維持することができる。
【発明を実施するための最良の形態】
【００１１】
本発明の更なる特徴及び利点は、添付図面中の限定されない例によって示された、好ましいが限定的ではない実施形態についての以下の詳細な説明からより明確となる。
なお、以下の代表的な実施形態において、特定の例に関連して示される個々の特徴は、別の代表的な実施形態における別の特徴と置き換えることが可能である。
また、特許審査の間に公知であることが判明したものについてはいずれも特許を請求するものではなく、権利を放棄するものである。
【００１２】
図１乃至６を参照すると、符号１は、硬質のソール２を備えたスキーブーツなどのスポーツシューズを示しており、図１においてスポーツシューズ１はスキーブーツであって、ソール２は標準的なタイプのものである。
なお、図示した実施形態に代えて、例えばアイススケート用ブレードや１つ以上のホイールの支持体をソール２の下部に組み付けることも可能である。
【００１３】
スポーツシューズ１は、足の前側領域３から踵領域４にかけてソール２から突設されたシェル５が、踝領域６及び足の甲を覆うように延びて一体的に設けられており、使用時に使用者の足全体を包囲する。シェル５は硬質のプラスチック材料で形成されているのが好ましい。
シェル５は上部領域が開口しており、ほぼ足の甲の領域には、使用者の足の挿入を容易にするためのスリット９が、上縁部８を起点として設けられているのが好ましい。
【００１４】
シェル５の内側側面５ａには、足の前側領域３を起点とし、部分的にシェル５の形状に沿うようにほぼＵ字形状をなすスロット６０が形成されている。従って、このスロット６０は、シェル５の底部１１を起点として、シェル５の前端部６１及び側壁部６２ａ，６２ｂの一部にわたって形成されている。踵領域４の方向に向かっているスロット６０の端部は、図５において符号６３ａ及び６３ｂで示される２つの傾斜面を介してシェル５の内側側面５ａに接続されている。
【００１５】
高さを調整可能なタイプであるのが好ましいクオータ（quarter）部材１０は、ほぼ踝領域６においてシェル５に回動可能に連結されている。
インソール１２は、シェル５内でスライド可能にシェル５の底部１１に組み付けられており、例えば硬質或いは半硬質のプラスチック材料で形成されている。ほぼ爪先の領域１４には、上記インソール１２から前側端部（tip）１５が突設されており、使用中において、例えば柔軟な素材で形成されて装着感を向上させべく任意に挿入されるソフトインナーブーツ（図示せず）と共に、使用者の爪先の周囲を包み込むようになっている。
【００１６】
図５に示されるように、前側端部１５は、インソール１２がシェル５に対して最も引き込まれた状態にあってインソール１２が最小となり、前側部分１５がスロット６０から外れた位置にある場合に、前側端部１５がシェル５の内側側壁５ａによって中心方向に圧迫されることにより、使用者の足と、任意に介装されうる柔軟なインナーブーツとを収容可能な空間が減少するような大きさとなっている。
【００１７】
このような状態において、前側部分１５の踵領域４への接近に伴う足の甲の領域７におけるシェル５の拡大が前側部分１５の拡大を許容するので、前側端部１５には、シェル５の底部１１に直交する方向におけるゆがみが発生しない。
一方、図６に示されるように、インソール１２がシェル５に対して最も引き出された状態にあってインソール１２が最大となり、前側部分１５がスロット６０の位置にある場合には、前側端部１５にゆがみが発生していない状態となり、使用者の足や任意に介装されるインナーブーツに対してより大きな空間を与える。
【００１８】
インソール１２は、シェル５に対する長手軸方向の位置を調整してガイドする調整ガイド手段と相互に作用するようになっている。この調整ガイド手段は、シェル５の底部１１を起点として踵領域４のソール２に形成された第１取付座部１６を備えており、この第１取付座部１６はソール２の長手軸方向に縦長となるほぼ長方形の平面形状をなしている。
第１取付座部１６の互いに対向する側面には、同一軸線上に第１孔１７及び第２孔１８が設けられており、第１孔１７は第２孔１８より大きな径を有する。
【００１９】
第１取付座部１６は後部キャビティ１９に接続されており、後部キャビティ１９は、シェル５に対する長手軸方向の位置をガイドする調整ガイド手段を第１取付座部１６と共に構成し、第１取付座部１６からシェル５の後部壁にかけての部分にシェル５の底部１１を起点として形成されている。後部キャビティ１９は、横断面においてほぼ逆Ｔ字状をなすと共に、平面視においてほぼ長方形状をなしており、第１取付座部１６よりも幅及び長さが短くなっている。
【００２０】
また、調整ガイド手段は、インソール１２の下面２１からほぼ直角に突出した第１タブ２０を備えており、第１タブ２０は使用状態においてシェル５の底部１１に向けて突出すると共に、爪先の領域１４とは反対側となるインソール１２の後端部２２に近接して設けられる。
第１タブ２０は、ソール２に形成された第１取付座部１６にスライド可能に配設されており、第１取付座部１６内における長手方向の移動を行うことができるように、第１取付座部１６とほぼ同じ幅を有すると共に、第１取付座部１６よりも長さが短くなっている。また、第１タブ２０は、長手方向の断面がほぼ楕円形状をなすと共に、好ましくは同様の形状をなす第２取付座部２３を形成するように横方向に形成された空洞を有する。更に、第２取付座部２３の上部面或いは下部面には、１組の歯２４が横方向に形成されている。
【００２１】
インソール１２の下面２１から第１タブ２０の後方に突設された第２タブ２５は、後部キャビティ１９に対してほぼ補完的な形状をなしており、後部キャビティ１９より短く、シェル５に対する長手軸方向のインソール１２のスライドをガイドし規制するべく、後部キャビティ１９に摺動しながら係合できるようになっている。従って、第２タブ２５は、シェル５に対するインソール１２の長手軸方向の位置をガイドする調整ガイド手段の構成に関わっている。
【００２２】
シェル５に対するインソール１２の長手軸方向の位置を調整する調整ガイド手段の付加的な部材を第２取付座部２３内に配置することが可能であり、この部材は第１ねじ部材２６によって構成される。この第１ねじ部材２６は、１組の歯２４に対して補完的に軸方向の歯が形成されて歯２４と噛合可能な第１ステム２７を有しており、第１孔１７及び第２孔１８に回動可能に取り付けられている。
【００２３】
第１ねじ部材２６は、第１孔１７に近接する方の一端に、第１孔１７の径より大きい径を有した環状隆起２８を有しており、この環状隆起２８が第１孔１７の周縁に回動可能に接している。
第１ねじ部材２６の自由端は第２孔１８から突出しており、第２孔１８の径より大きい径を有したディスク３０を支持するピン２９が軸方向に第１ねじ部材２６と係合することによって、第２孔１８の周縁にディスク３０が接するようにして第２孔１８に回動可能に組み付けられている。
【００２４】
ピン２９とは反対側には、ディスク３０から支持体３１が突設されており、第１ピボット３２を介してレバー３３が支持体３１に軸支され、レバー３３を介して使用者が第１ねじ部材２６に所望の回動を与えることができるようになっている。
一方、レバー３３はソール２の側面に対して揺動可能となっており、ソール２の側面からほぼ直角に突設されて適切に配置された第２ピボット３４を、レバー３３に形成された第３貫通孔３５に挿入することにより、レバー３３を選択対置でソール２に強固に係止させることができる。
【００２５】
本発明の利用は以下の通りとなる。図１乃至６を参照すると、レバー３３を操作することにより、使用者は所望の角度だけ第１ねじ部材２６を回動させることが可能であって、これによりシェル５に対してインソール１２を前進させたり後退させたりすることが可能となる。従って、スポーツシューズ１内の空間を増大させたり減少させたりして、使用者の足や任意にスポーツシューズ１内に用いることが可能なソフトインナーブーツを収容することができる。
【００２６】
そして、所望の長さが得られると、レバー３３の第３貫通孔３５内に第２ピボット３４の１つが嵌挿されるようにレバー３３を揺動することにより、シェル５に対するインソール１２の相対的なスライドをロックすることが可能となる。
このようにして、使用者の足に適用可能なスポーツシューズ１内の空間を適正に調整することが可能となる。
【００２７】
例えば、図３及び５を参照すると、インソール１２をシェル５に対して最も引き込んだ状態に配置することが可能である。このような状態において、前側端部１５は踵領域４から最も近い位置にあり、シェル５の内側側壁５ａによって中心方向に圧迫されている。従って、使用者の足や任意にスポーツシューズ１内に用いられるインナーブーツに適用可能な内部空間を最小化することができる。
【００２８】
一方、図４及び６を参照すると、インソール１２がシェル５に対して最も引き出された状態にあることにより、前側端部１５は踵領域４から最も離れた位置にあり、インソール１２がスロット６０内にあるため、前側端部１５がゆがむことはない。従って、このような状態において、使用者の足や任意にスポーツシューズ１内に用いられるインナーブーツに適用可能な内部空間は最大化される。
【００２９】
以上のように、本発明が意図する狙い及び目的を達成することが認められ、様々なサイズが得られるように、使用者の足に適用される内部空間を極めて容易かつ迅速に変更することが可能となるスポーツシューズ、特にスキーブーツ、アイススケート靴或いはインラインスケート靴が得られた。また、使用の際、足は一体的に設けられたシェルで包囲されているので、雪や水が足と接触するおそれは実質的になくなる。
【００３０】
更に、シェルが一体的に設けられるので、本発明によるスポーツシューズは、極めて強靭で安定したものとなり、使用者の足の効果的な保護及び支持を確実に得ることが可能となる。
また、本発明によるスポーツシューズは、容易に製造及び／又は組立可能な部品を用いることによって得られるので、低い製造コストを維持することができる。
【００３１】
本発明は様々な変形や変更が可能であることはいうまでもなく、それらは全て添付の特許請求の範囲に含まれるものである。
即ち、例えば、硬質のソール１０２を備えたスポーツシューズ１０１、特にスキーブーツ、アイススケート靴或いはインラインスケート靴を第２実施形態とし、図７乃至１０を参照して以下に説明する。図７乃至１０に示された例において、スポーツシューズ１０１はスキーブーツを構成するものであって、ソール１０２は標準的なタイプのものである。
【００３２】
なお、図示しないスケート靴の場合、例えばアイススケート用のブレード、或いは１つ以上のホイールの支持体をソール１０２の下部に組み付けることが可能である。
一体的に設けられたシェル１０５は、足の前側領域１０３から踵領域１０４にかけて、ソール１０２から突設され、踝領域１０６及び足の甲の領域１０７を覆う位置まで延設されることにより、使用の際に使用者の足を完全に包囲するようになっている。シェル１０５は上部領域において開口しており、ほぼ足の甲の領域１０７において、その上縁部１０８を起点として、使用者の足の挿入を容易にするスリット１０９を有している。
【００３３】
この第２実施形態においても、足の前側領域１０３を起点とし、ほぼＵ字形状を有したスロット１６０が、部分的にシェル１０５の形状に沿うようにしてシェル１０５の内側側面１０５ａに形成されている。このスロット１６０は、図１乃至６に基づいて述べたスロット６０と同様のものである。
クオータ部材１１０は垂直方向に調整可能であるのが好ましく、ほぼ踝の領域１０６においてシェル１０５に回動可能に連結されている。
【００３４】
インソール１１２は、シェル１０５内でスライド可能にシェル１０５の底部１１１に組み付けられており、例えば硬質のプラスチック材料によって形成されている。このインソール１１２から、爪先領域１１４において前側端部１１５が突設されており、例えば多孔質の素材からなり使用者の装着感を向上させるソフトインナーブーツ（図示せず）の挿入を任意に伴いながら、前側端部１１５が使用者の足を取り囲むようになっている。
【００３５】
この第２実施形態においても、前側端部１１５は、シェル１０５に対してインソール１１２が最も引き込まれた状態にあってインソール１１２が最小である場合に、前側端部１１５がシェル１０５の内側側面１０５ａによって中心方向に圧迫されることにより、使用者の足及び任意にスポーツシューズ１０１内に用いられるソフトインナーブーツを収容可能なスポーツシューズ１０１内の空間を減少させる大きさとなっている。
【００３６】
一方、ソール１１２がシェル１０５に対して最も引き出された状態にあってインソール１１２が最大である場合に、前側端部１１５にはゆがみがなく、使用者の足及び任意に用いられるソフトインナーブーツに対してより大きい空間を与える。
インソール１１２は、シェル１０５に対する長手軸方向のインソール１１２の位置を調整してガイドする調整ガイド手段と相互に作用するようになっている。この調整ガイド手段は、ソール１０２の踵領域１０４にシェル１０５の底部１１１を起点として形成された第１取付座部１１６を備えており、第１取付座部１１６は、ソール１０２の長手方向軸の方向に縦長となるほぼ長方形の平面形状をなしている。
【００３７】
ほぼ直方体状をなす第３タブ１３６が、第１取付座部１１６の底部から踵領域１０４に近接してほぼ直立する方向に突設されており、その上端部にはほぼＵ字状の形状を有するのが好ましい第３取付座部１３７が形成されている。
踵部分の後面１１３には、ソール１０２の長手方向中心軸にほぼ沿うと共に、第３取付座部１３７と同一軸線上に第４孔１３８が形成されており、この第４孔１３８は、ほぼＴ字状の径方向断面形状を有するのが好ましい。
【００３８】
この第２実施形態において、調整ガイド手段は、爪先領域１１４とは反対側となるインソール１１２の後端部１２２近傍においてインソール１１２の下面１２１からほぼ直角に突設された第４タブ１３９を更に備える。この第４タブ１３９は、ソール１０２に形成された第１取付座部１１６にスライド可能に配設され、第１取付座部１１６内での長手方向の移動を可能とするべく、第１取付座部１１６とほぼ同じ幅を有すると共に、第１取付座部１１６より長さが短くなっている。第４タブ１３９はほぼ直方体をなして中空となっており、インソール１１２の上面１４１に形成されて長方形の平面形状をなすのが好ましい開口１４０と連通している。
【００３９】
使用時にソール１０２の長手方向中心軸にほぼ直交する方向に配置される第４タブ１３９の側壁１４２ａ及び１４２ｂには、第４孔１３８と同一軸線上に２つの第５孔１４３ａ及び１４３ｂが形成されている。また、第４タブ１３９内には、第４タブ１３９の内部に対して補完的に形成されたナット１４４が収容されており、このナット４４には、第６ねじ穴１４５が形成されて第５孔１４３ａ及び１４３ｂと同一軸線上に配置されている。
【００４０】
シェル１０５に対するインソール１１２の長手軸方向の位置を調整しガイドする調整ガイド手段は、使用中であるときに第４孔１３８内に位置する頭部１４７を有して適切に設けられた第２ねじ部材１４６を備えており、この頭部１４７からは第２ステム１４８が突設されている。第２ステム１４８は頭部１４７に近接する第１平滑部１４９と、第１平滑部１４９に続いて設けられ、ナット１４４の第６孔１４５に形成されたねじに対して補完的に形成されたねじを有することにより第６孔１４５内にねじ込まれて係合可能な第２部分１５０とによって構成されている。第１平滑部１４９と第２部分１５０との間には、第３タブ１３６の第３取付座部１３７内で回動可能に位置決めされた凹部１５１が設けられており、これによりソール１０２に対して第２ねじ部材１４６の長手軸方向の位置を固定している。
【００４１】
第２ねじ部材１４６に軸線周りの適切な回転を与えることにより、ナット１４４を第２ねじ部材１４６の長手方向に前進或いは後退させ、ナット１４４に固定的に連結されたインソール１１２をシェル１０５に対して前進或いは後退させることにより、使用者の足に適用可能なスポーツシューズ１０１内空間の所望の変化が得られる。
以上で本発明の実施形態に関する説明を終えるが、本発明の個々の構成要素を定める寸法のほか、使用される素材は、特定の要求に従ってより適切なものとすることが可能であることはいうまでもない。また、異なる機能を発揮する様々な手段が、例示されている実施形態のみにおいて存在する必要はなく、例示されないものも含めて多くの実施形態に存在しうるものである。更に、好ましい、都合がよい或いはあってもよいものとして示された特徴は、省略或いは均等物との置き換えが可能である。
【図面の簡単な説明】
【００４２】
【図１】本発明の第１実施形態に係るスポーツシューズの分解斜視図である。
【図２】図１のスポーツシューズの中央縦平面に沿った分解斜視断面図である。
【図３】インソールが最も引き込まれた状態にある図１及び図２のスポーツシューズの中央縦平面に沿った断面図である。
【図４】インソールが最も引き出された状態にあるスポーツシューズを図３と同様に示す断面図である。
【図５】図３のＶ−Ｖ線に沿う断面図である。
【図６】図４のVI−VI線に沿う断面図である。
【図７】本発明の第２実施形態に係るスポーツシューズの分解斜視図である。
【図８】図７のスポーツシューズの中央縦平面に沿った分解斜視断面図である。
【図９】インソールが最も引き込まれた状態にある図７及び図８のスポーツシューズの中央縦平面に沿った断面図である。
【図１０】インソールが最も引き出された状態にあるスポーツシューズを図９と同様に示す断面図である。
【符号の説明】
【００４３】
１，１０１  スポーツシューズ
２，１０２  ソール
５，１０５  シェル
１０，１１０  クオータ部材
１５，１１５  前側端部
１６，１１６  第１取付座部（調整ガイド手段）
１７  第１孔
１８  第２孔
１９  後部キャビティ（調整ガイド手段）
２０  第１タブ（調整ガイド手段）
２３  第２取付座部（調整ガイド手段）
２５  第２タブ（調整ガイド手段）
２６  第１ねじ部材（調整ガイド手段）
６０，１６０  スロット
１３６  第３タブ（調整ガイド手段）
１３７  第３取付座部（調整ガイド手段）
１３８  第４孔
１３９  第４タブ（調整ガイド手段）
１４３ａ，１４３ｂ  第５孔
１４４  ナット（調整ガイド手段）
１４６  第２ねじ部材（調整ガイド手段）
【図１】
2009006119.tif 000003
【図２】
2009006119.tif 000004
【図３】
2009006119.tif 000005
【図４】
2009006119.tif 000006
【図５】
2009006119.tif 000007
【図６】
2009006119.tif 000008
【図７】
2009006119.tif 000009
【図８】
2009006119.tif 000010
【図９】
2009006119.tif 000011
【図１０】
2009006119.tif 000012